(57)【要約】【課題】装置の大型化や製造コストの上昇を抑え、シート状の記録媒体を効率よく媒体配置板に吸着させることができる吸着装置、および画像読取装置を提供することを目的とする。【解決手段】複数の貫通孔が穿たれた媒体配置板と、媒体配置板の裏側に配置されて媒体配置板の貫通孔を、それぞれが少なくとも１つの角を有した領域を残して塞ぐ２つのマスクと、各マスクが残す領域の重ね合わせによって矩形領域が残るように保持する保持部と、２つのマスクを、それら２つのマスクによって塞ぎ残された矩形領域の大きさが変わるように移動させる移動部と、２つのマスクによって塞ぎ残された矩形領域の貫通孔を介して裏側から空気を吸引することにより、媒体配置板に配置される記録媒体を媒体配置板に吸着させる吸引部とを備える。【選択図】        図４
2005241990.tif 000002
【特許請求の範囲】
【請求項１】
表から裏まで貫通した複数の貫通孔が穿たれた、該表にシート状の記録媒体が配置される媒体配置板と、
前記媒体配置板の裏側に配置されて該媒体配置板の貫通孔を、それぞれが少なくとも１つの角を有した領域を残して塞ぐ２つのマスクと、
前記２つのマスクを、各マスクが残す領域の重ね合わせによって矩形領域が残るように保持する保持部と、
前記２つのマスクを、該２つのマスクによって塞ぎ残された矩形領域の大きさが変わるように移動させる移動部と、
前記２つのマスクに対して前記媒体配置板とは逆の側に位置し、該２つのマスクによって塞ぎ残された矩形領域の貫通孔を介して空気を吸引することにより、該媒体配置板の表に配置される記録媒体を該媒体配置板に吸着させる吸引部とを備えたことを特徴とする吸着装置。
【請求項２】
前記移動部が、前記２つのマスクを、前記記録媒体の所定の複数サイズそれぞれに応じたサイズの矩形領域が残る複数の安定位置の相互間で移動させるものであることを特徴とする請求項１記載の吸着装置。
【請求項３】
前記媒体配置板が、貫通孔のない非吸着領域と、その非吸着領域を取り囲んだ、前記貫通孔が穿たれた吸着領域とを有するものであり、
前記移動部が、前記矩形領域内に常に非吸着領域が存在するように前記２つのマスクを移動させるものであることを特徴とする請求項１記載の吸着装置。
【請求項４】
前記２つのマスクそれぞれと相応した、前記非吸着領域の周辺に穿たれた貫通孔を塞ぐ２つのサブマスクを備え、
前記移動部が、前記２つのマスクそれぞれと連動させて前記２つのサブマスクを移動させるものであることを特徴とする請求項１記載の吸着装置。
【請求項５】
前記吸引部は、シロッコファンであることを特徴とする請求項１記載の吸着装置。
【請求項６】
表から裏まで貫通した複数の貫通孔が穿たれた、該表にシート状の記録媒体が配置される媒体配置板と、
前記媒体配置板の裏側に配置されて該媒体配置板の貫通孔を、それぞれが少なくとも１つの角を有した領域を残して塞ぐ２つのマスクと、
前記２つのマスクを、各マスクが残す領域の重ね合わせによって矩形領域が残るように保持する保持部と、
前記２つのマスクを、該２つのマスクによって塞ぎ残された矩形領域の大きさが変わるように移動させる移動部と、
前記２つのマスクに対して前記媒体配置板とは逆の側に位置し、該２つのマスクによって塞ぎ残された矩形領域の貫通孔を介して空気を吸引することにより、該媒体配置板の表に配置される記録媒体を該媒体配置板に吸着させる吸引部と、
前記吸引部によって前記媒体配置板に吸着された記録媒体上に記録された画像を読み取って、該画像を表わす画像データを生成する画像読取部を備えたことを特徴とする画像読取装置。
【発明の詳細な説明】
【技術分野】
【０００１】
本発明は、シート状の記録媒体を媒体配置板に吸着させる吸着装置、および媒体配置板に吸着された記録媒体上に記録された画像を読み取って、画像を表わす画像データを生成する画像読取装置に関する。
【背景技術】
【０００２】
近年、デジタルカメラの普及に伴って、撮影画像をデジタル化して扱うことが広範に行われている。撮影画像をデジタル化することによって、撮影画像をプリント出力するラボ側では、デジタル化された撮影画像（撮影画像データ）にパーソナルコンピュータ等を使って画像処理を施し、撮影画像の不具合を修正するなどといった付加サービスを提供することができる。また、ユーザ側においては、汎用のアルバムソフト等を使用することによって、パーソナルコンピュータ上で複数枚の撮影画像を容易に整理することができるうえ、それら複数枚の撮影画像をまとめてハードディスク等に記録しておくことによって、保管の際にかさ張らず、撮影画像を高画質なままで保管することができるなどという利点がある。
【０００３】
ところで、各家庭では、アルバムへの整理が煩雑な写真は、ラボから受け取った状態のまま死蔵されていることが多い。また、死蔵されている写真の中には、フィルムが紛失してしまって焼き増しができないものや、変色して画像が劣化してしまっているもある。撮影画像をデジタル化する利点が広く認められるのに伴い、近年では、このように死蔵されてしまいがちな写真の撮影画像も、デジタル化して画質を維持したり、パソコン上で管理したいなどという要望が高まっている。
【０００４】
上記の要望は、写真の撮影画像をスキャナ等で読み取って、撮影画像をデジタル化することによって解決することができる。この画像読取サービスをラボ側で行う場合、従来のフラットベットスキャナのように、画像読取位置に原稿を１枚ずつ手動でセットする方式の画像読取装置では手間と時間がかかってしまうため、複数枚の写真を集積しておき、集積した中から写真を１枚ずつ取り出して画像読取位置にセットする搬送手段を備えた画像読取装置を使用することが考えられる。このような画像読取装置を使用することによって、写真上の撮影画像を読み取って撮影画像データを生成するまでの一連の処理時間と手間を軽減させることができる。
【０００５】
ここで、例えば、カールしている記録媒体をそのまま画像読取位置にセットして画像を読み取ると、カールした部分の画像が歪んでしまって読み取り精度が劣化してしまう。したがって、画像を読み取る際には、媒体配置板の表に記録媒体を配置し、コンプレッサやファン等で媒体配置板の裏側から空気を吸引するなどして、記録媒体を媒体配置板にぴったりと吸着させる必要がある。また、コンプレッサやファンの吸引力には限界があるため、記録媒体が配置された部分のみを集中して吸引して、記録媒体を効率よく吸着させることが必要となる。この点に関し、特許文献１、および特許文献２には、４枚の板を記録媒体の大きさに応じて移動させ、それら４枚の板で記録媒体の周辺の領域をマスクすることによって、コンプレッサやファン等の吸引力を記録媒体が配置された部分に集中させる方法について記載されている。これらの方法によると、大きさが異なる記録媒体が混在している場合であっても、記録媒体を効率よく吸着することができる。
【特許文献１】特開平５−１０３５６号公報
【特許文献２】特開平５−１７６４５号公報
【発明の開示】
【発明が解決しようとする課題】
【０００６】
しかし、４枚の板を記録媒体の大きさに応じて移動させるには、複雑な機構が必要となるため、画像読取装置の製造コストが高いという問題がある。また、そのような複雑な機構を画像読取装置に適用すると、画像読取装置が大型化してしまうという不都合もある。
【０００７】
また、このような問題は、画像を読み取る画像読取装置に限って生じる問題ではなく、シート状の記録媒体を吸着させる吸着装置を用いる分野一般で生じる問題である。
【０００８】
本発明は、上記事情に鑑み、装置の大型化や製造コストの上昇を抑え、シート状の記録媒体を効率よく媒体配置板に吸着させることができる吸着装置、および画像読取装置を提供することを目的とする。
【課題を解決するための手段】
【０００９】
上記目的を達成する本発明の吸着装置は、表から裏まで貫通した複数の貫通孔が穿たれた、表にシート状の記録媒体が配置される媒体配置板と、
媒体配置板の裏側に配置されて該媒体配置板の貫通孔を、それぞれが少なくとも１つの角を有した領域を残して塞ぐ２つのマスクと、
２つのマスクを、各マスクが残す領域の重ね合わせによって矩形領域が残るように保持する保持部と、
２つのマスクを、２つのマスクによって塞ぎ残された矩形領域の大きさが変わるように移動させる移動部と、
２つのマスクに対して媒体配置板とは逆の側に位置し、２つのマスクによって塞ぎ残された矩形領域の貫通孔を介して空気を吸引することにより、媒体配置板の表に配置される記録媒体を媒体配置板に吸着させる吸引部とを備えたことを特徴とする。
【００１０】
本発明の吸着装置によると、２つのマスクが移動されることによって、媒体配置板の貫通孔が矩形領域を残して塞がれる。例えば、媒体配置板に配置される記録媒体のサイズに応じたサイズの矩形領域が残るように２つのマスクを移動させることによって、その矩形領域内の貫通孔からのみ空気が吸引されるため、記録媒体を効率よく媒体配置板に吸着させることができる。また、それぞれが少なくとも１つの角を有した領域を残して塞ぐ２つのマスクを用いることにより、それら２つのマスクを相互に逆向きに移動させることによって矩形領域の大きさを変えることができるため、マスクを移動させる機構が簡素化され、装置の大型化や製造コストの上昇を抑えることができる。
【００１１】
また、本発明の吸着装置において、上記の移動部が、２つのマスクを、記録媒体の所定の複数サイズそれぞれに応じたサイズの矩形領域が残る複数の安定位置の相互間で移動させるものであることが好ましい。
【００１２】
２つのマスクが記録媒体の所定の複数サイズそれぞれに応じた安定位置に移動されることによって、複数サイズの記録媒体を吸着させる場合であっても、それぞれのサイズに合わせて矩形領域の大きさを変えることができ、効率よく記録媒体を吸着させることができる。
【００１３】
また、本発明の吸着装置において、上記の媒体配置板が、貫通孔のない非吸着領域と、その非吸着領域を取り囲んだ、貫通孔が穿たれた吸着領域とを有するものであり、
移動部が、矩形領域内に常に非吸着領域が存在するように２つのマスクを移動させるものであることが好ましい。
【００１４】
記録媒体を吸着させる際には、記録媒体の中央付近よりも、記録媒体の枠の近傍を集中的に吸着させて、カール等を伸ばすことが必要となる。媒体配置板に非吸着領域を設けることによって、その非吸着領域を取り囲む吸着領域が集中して吸引され、記録媒体の枠の近傍を効率よく吸着することができる。
【００１５】
また、本発明の吸着装置において、上記の２つのマスクそれぞれと相応した、非吸着領域の周辺に穿たれた貫通孔を塞ぐ２つのサブマスクを備え、
上記の移動部が、２つのマスクそれぞれと連動させて２つのサブマスクを移動させるものであることが好適である。
【００１６】
２つのマスクそれぞれと連動させて２つのサブマスクを移動させることによって、２つのサブマスクが、２つのマスクによって形成される矩形領域の大きさに相応した数の貫通孔を塞ぐ。したがって、媒体配置板に配置される記録媒体が大きくて、矩形領域が大きくなってしまった場合であっても、２つのサブマスクが非吸着領域の周辺に穿たれた貫通孔を多く塞ぐため、吸引部による吸引力が分散されて、記録媒体を吸着する吸着力が低下してしまうのを防ぐことができる。
【００１７】
また、本発明の吸着装置において、上記の吸引部は、シロッコファンであることが好ましい。
【００１８】
シロッコファンは静圧、かつ低風力であり、記録媒体を吸着するのに十分な吸引力を得ることができる。
【００１９】
また、上記目的を達成する本発明の画像読取装置は、
表から裏まで貫通した複数の貫通孔が穿たれた、表にシート状の記録媒体が配置される媒体配置板と、
媒体配置板の裏側に配置されて媒体配置板の貫通孔を、それぞれが少なくとも１つの角を有した領域を残して塞ぐ２つのマスクと、
２つのマスクを、各マスクが残す領域の重ね合わせによって矩形領域が残るように保持する保持部と、
２つのマスクを、２つのマスクによって塞ぎ残された矩形領域の大きさが変わるように移動させる移動部と、
２つのマスクに対して媒体配置板とは逆の側に位置し、２つのマスクによって塞ぎ残された矩形領域の貫通孔を介して空気を吸引することにより、媒体配置板の表に配置される記録媒体を媒体配置板に吸着させる吸引部と、
吸引部によって媒体配置板に吸着された記録媒体上に記録された画像を読み取って、画像を表わす画像データを生成する画像読取部を備えたことを特徴とする。
【００２０】
本発明の画像読取装置によると、記録媒体を媒体配置板に吸着させて、記録媒体上に記録された画像を精度良く読み取ることができる。
【００２１】
また、本発明の画像読取装置は、上記の基本形態の他に、本発明の吸着装置の各種態様に対応する各種態様の全てを含む。
【発明の効果】
【００２２】
本発明によれば、装置の大型化や製造コストの上昇を抑え、シート状の記録媒体を効率よく媒体配置板に吸着させることができる吸着装置、および画像読取装置を提供することができる。
【発明を実施するための最良の形態】
【００２３】
以下、本発明の実施形態について説明する。
【００２４】
図１は、本発明の一実施形態が適用された画像読取装置の外観構成図である。
【００２５】
この画像読取装置１は、写真やポストカードなどといったシート状の記録媒体上に記録された画像を読み取って、その画像を表わす画像データを生成する装置であり、未スキャン媒体収納箱１０と、吸着装置２０と、表面読取装置３０と、裏面読取装置４０と、スキャン済媒体収納箱５０と、搬送装置６０と、それら各種要素を制御する制御部（図示しない）とを備えている。また、画像読取装置１には、生成された画像データに画像処理等を施す本体装置１０１と、画像データが表わす画像を表示するとともに、制御部に各種指示を与える操作子が設けられたモニタ１０２とで構成されたパーソナルコンピュータが接続されている。
【００２６】
まずは、画像読取装置１を構成する各種要素について説明する。
【００２７】
図１に示す搬送装置６０は、未スキャン媒体収納箱１０と吸着装置２０と裏面読取装置４０とスキャン済媒体収納箱５０の上を通って延びるガイドレール６１と、記録媒体を吸着して、未スキャン媒体収納箱１０と吸着装置２０との間、吸着装置２０と裏面読取装置４０の間、および裏面読取装置４０とスキャン済み媒体収納箱５０との間をそれぞれ移動する３つの搬送部６２を備えており、さらに、それら３つの搬送部６２は、記録媒体を吸着する吸着パット６２ａと、吸着パット６２ａを保持する伸縮自在な保持棒６２ｂをそれぞれ備えている。保持棒６２ｂが伸びることによって吸着パット６２ａが記録媒体上に移動されると、吸着パット６２ａは記録媒体を吸着する。続いて、保持棒６２ｂが吸着パット６２ａを保持したまま元の長さに縮むとともに、ガイドレール６１に沿って移動することによって、記録媒体が搬送される。
【００２８】
未スキャン媒体収納箱１０は、上部が開口した箱形状を有しており、画像が読み取られる前の記録媒体が、表面を上にして積み重ねられて収納されている。未スキャン媒体収納箱１０内に収納された記録媒体は、搬送部６２によって１枚ずつ取り出されて、吸着装置２０に搬送される。
【００２９】
吸着装置２０は、本発明の吸着装置の一実施形態が適用されたものであり、表面と裏面とを貫通する複数の貫通孔２３が穿たれた吸着板２１と、吸着板２１の裏側に設けられた吸引部２２とを備えている。吸着装置２０の構成は、後で詳しく説明する。未スキャン媒体収納箱１０から搬送されてきた記録媒体は吸着板２１上に配置され、吸引部２２が貫通孔２３を介して空気を裏側から吸引することによって、その記録媒体が吸着板２１上に吸着される。また、この吸着装置２０は、未スキャン媒体収納箱１０から搬送されてくる記録媒体を受け取る受取位置と、受け取った記録媒体上の画像が表面読取装置３０によって読み取られる読取位置との間をレール３１に沿って移動する。記録媒体が吸着板２１上に吸着されると、吸着装置２０は、搬送レール３１に沿って表面読取装置３０の下の読取位置に移動する。
【００３０】
表面読取装置３０は、表面撮像部３２と、蛍光灯３３と、フレア防止板３４とを備えている。フレア防止板３４は、吸着装置２０上で記録媒体が配置される位置に相応する部分のみくり抜かれており、記録媒体からの反射光以外の光を遮る。吸着装置２０が読取位置に移動してくると、吸着装置２０に向けて蛍光灯３３によって白色光が照射され、吸着装置２０に吸着された記録媒体の表面で反射された光が表面撮像部３２によって読み取られて、記録媒体の表面上に記録された表面画像を表わす表面画像データが生成される。尚、記録媒体の表面には、通常は、撮影画像などといったカラー画像が記録されており、表面画像に関しては、高速な読み取りよりも高画質な読み取りが求められる。この例では、表面撮像部３２には、レンズと、単版のエリアＣＣＤと、ＲＧＢ３色のカラーフィルタと、それら３色のカラーフィルタを切り替えるターレットとが備えられており、ターレットによってフィルタを切り替えながら、ＲＧＢ各色ごとに画像の読み取りが行われる。表面読取装置を構成する要素としては、例えば、蛍光灯３３の替わりにＬＥＤを用いたり、単版のエリアＣＣＤと３色のカラーフィルタとターレットとの替わりに、３色の画像を一度で読み取ることができるカラーのエリアＣＣＤ等を用いるものであってもよい。この表面読取装置３０は、本発明の画像読取装置における画像読取部の一例にあたる。生成された表面画像データは、制御部（図示しない）を経由してパーソナルコンピュータの本体部１０１に送られる。表面画像が読み取られると、吸着装置２０はレール３１に沿って受取位置に移動し、吸着装置２０上の記録媒体は、搬送部６２によって吸着されて裏面読取部４０に搬送される。
【００３１】
裏面読取部４０には、記録媒体が配置される部分が透明なガラスで構成された配置台４１と、配置台４１の裏側に設けられた裏面用撮像部４２とが備えられている。この例では、表面用撮像部３２と同様の構成を有する裏面用撮像部４２が適用されている。搬送部６２によって搬送されてきた記録媒体が、搬送部６２によって配置台４１に押し付けられると、記録媒体の裏面に記録された裏面画像が裏面用撮像部４２によって読み取られる。ここで、記録媒体の裏面には、例えば、記録媒体の印刷紙種別を表わす記号や文字、プリント年月日などといった情報が記録されており、裏面画像に関しては、読み取りの画質よりも読み取り速度が求められる。したがって、裏面読取部４０の裏面用撮像部４２は、カラーのラインＣＣＤ等を用いて、ＲＧＢ３色の画像を一度に読み取るものであってもよい。裏面画像が読み取られて生成された裏面画像データは、制御部（図示しない）を経由してパーソナルコンピュータの本体部１０１に送られる。裏面画像が読み取られた記録媒体は、搬送部６２によって吸着されて、スキャン済媒体収納箱５０に搬送される。
【００３２】
スキャン済媒体収納箱５０も、未スキャン媒体収納箱１０と同様に、上部が開口した箱形状を有しており、搬送部６２によって搬送されてきた記録媒体が内部に積み重ねられて集積される。
【００３３】
以上のようにして記録媒体上の画像が読み取られて生成された表面画像データや裏面画像データは、本体部１０１からモニタ１０２に送られて、モニタ１０２で表示される。また、生成された表面画像データは、本体部１０１において所定の画像処理が施されたり、裏面画像データが示す各種情報が付加されて、ＣＤ−ＲＯＭなどに記憶される。
【００３４】
画像読取装置１は、基本的には以上のように構成されている。
【００３５】
ここで、画像読取装置１における本発明の吸着装置、および画像読取装置としての特徴は、吸着装置２０の構成にある。
【００３６】
まず、吸着装置２０の構成について詳しく説明する。
【００３７】
図２は、吸着装置を正面から見たときの断面図である。
【００３８】
吸着装置２０は、表に記録媒体２００が配置される吸着板２１と、吸着板２１の裏側に設けられ、空気の通り道であるダクト３００と、箱２２２とシロッコファン２２１とで構成される吸引部２２とを備えている。
【００３９】
吸着板２１は、貫通孔２３が穿たれていない非吸着領域２１１と、貫通孔２３が穿たれた吸着領域２１２とを有している。この貫通孔２３は本発明にいう貫通孔の一例にあたり、非吸着領域２１１は本発明にいう非吸着領域の一例にあたり、吸着領域２１２は本発明にいう吸着領域の一例に相当する。また、吸着板２１は、本発明における媒体配置板の一例に相当する。
【００４０】
ダクト３００内には、記録媒体２００が吸着板２１上に配置されたときに、その記録媒体２００よりも外側に穿たれた貫通穴２３を塞ぐために使用される２つのマスク３１１，３２１と、非吸着領域２１１の周辺の貫通孔２３を塞ぐために使用される２つのサブマスク３１２，３２２とが備えられている。これらマスク３１１とサブマスク３１２、およびマスク３２１とサブマスク３２２はそれぞれ連動するように接続されている。マスク３１１，３２１は、本発明における２つのマスクの一例にあたり、サブマスク３１２，３２２は、本発明における２つのサブマスクの一例に相当する。
【００４１】
シロッコファン２２１を囲む箱２２２には、側面に１つの開口部２２２ａが設けられている。シロッコファン２２１が２つのマスク３１１，３２１および２つのサブマスク３１２，３２２によって塞がれていない貫通孔２３を介して、吸着板２１の裏側から空気を吸引すると、吸引された空気は開口部２２２ａから排出され、記録媒体２００が吸着板２１に吸着される。このシロッコファン２２１は、本発明における吸引部の一例に相当するとともに、本発明にいうシロッコファンの一例にあたる。
【００４２】
図３は、吸着装置を上からみた図である。
【００４３】
吸着板２１には、これから配置される記録媒体のサイズを選択する選択ダイヤル２１２が備えられている。この例では、画像読取装置１において、Ｅサイズ（１１７ｍｍ×８２．５ｍｍ）、Ｌサイズ（８９ｍｍ×１２７ｍｍ）、ＫＧサイズ（１０２ｍｍ×１５２ｍｍ）、および２Ｌサイズ（１２７ｍｍ×１７８ｍｍ）の４サイズの記録媒体に記録された画像を読み取ることができ、選択ダイヤル２１２においては、Ｅサイズ〜２Ｌサイズ、および全開（メンテナンスモード）を選択することができる。この選択ダイヤル２１２が回転されて記録媒体のサイズが選択されると、その選択されたサイズに応じた数の貫通孔２３を塞ぐように、図２に示すマスク３１１，３２１およびサブマスク３１２，３２２が移動される。図３においては、「全開（メンテナンス）」が選択されており、マスク３１１，３２１およびサブマスク３１２，３２２は貫通孔２３を１つも塞いでいない。また、非吸着領域２１１は、画像読取装置１で読み取ることのできる記録媒体の最小サイズ（この例ではＥサイズ）の大きさよりも小さい。この例では、貫通孔２３は、孔径Ｒ（φ５程度）を有し、間隔Ｗ（φ３〜φ７程度）で千鳥配置に穿たれている。貫通孔２３は、千鳥配置ではなく、縦横揃えて配置されているものであってもよいが、吸着台２１の強度などという点から千鳥配置であることが好ましく、吸着領域２１０における開口率は４０％〜６０％であることが好ましい。
【００４４】
図４は、吸着装置の裏側からみたときの、マスク、サブマスク、および吸着板を示す図である。
【００４５】
吸着板２１の裏側には、溝２１ａが設けられるとともに、略Ｌ字を有する２つのマスク３１１，３２１と、マスク３１１，３２１それぞれに支持されたサブマスク３１２，３２２と、マスク３１１，３２１を移動させる移動機構４００とが備えられている。各マスク３１１，３２１は、角３１１´，３２１´それぞれを含む領域を残してその周りの貫通孔３２を塞いでおり、それら２つのマスク３１１，３２１によって、吸着領域２１２を矩形に取り囲んでいる。また、サブマスク３１２，３２２は、非吸着領域２１１の周辺の貫通孔３２を塞ぐように配設されている。移動機構４００は、図３に示す選択ダイヤル２１２の回転に連動して回転されるピニオンギア４２０と、マスク３１１，３２１それぞれが取り付けられた２つのアーム４１０とで構成されている。２つのアーム４１０には、ピニオンギア４２０の歯車にかみ合う歯がそれぞれ設けられており、ピニオンギア４２０が回転すると、ピニオンギア４２０の歯車とアーム４１０の歯とがかみ合って、２つのアーム４１０は、お互いが逆方向に移動される。すなわち、図３の選択ダイヤル２１２が回転されて記録媒体のサイズが指定されると、その回転に連動してピニオンギア４２０が回転し、２つのアーム４１０によってマスク３１１，３２１が溝２１ａに沿ってそれぞれ逆の方向に所定距離だけ移動される。このとき、マスク３１１，３２１に支持されたサブマスク３２１，３２２も、マスク３１１，３２１といっしょに移動される。この溝２１ａと移動機構４００とを合わせたものは、本発明における保持部の一例にあたるとともに、本発明における移動部の一例に相当する。
【００４６】
吸着装置２０は、以上のように構成されている。
【００４７】
続いて、記録媒体の大きさに合わせて、マスク３１１，３２１およびサブマスク３２１，３２２が移動される処理について説明する。
【００４８】
図５は、選択ダイヤルでＫＧサイズが選択されたときのマスク、サブマスク、および吸着板を示す図である。
【００４９】
図５のパート（Ａ）には、ＫＧサイズが選択されたときのマスク３１１，３２１、およびサブマスク３２１，３２２を、吸着装置２０の裏側から見た図が示されており、パート（Ｂ）には、パート（Ａ）のマスク３１１，３２１、およびサブマスク３２１，３２２を横から見た図が示されている。マスク３１１，３２１が囲む矩形領域３３０の大きさは、ＫＧサイズの大きさとほぼ同じ大きさになっている。以下では、矩形領域３３０の大きさが記録媒体とほぼ同じ大きさになるときのマスク３１１，３２１、およびサブマスク３２１，３２２の位置を、その記録媒体のサイズにおける安定位置と称する。パート（Ｃ）には、マスク３１１，３２１、およびサブマスク３２１，３２２がＫＧサイズにおける安定位置に配置されているときに、吸着装置２０を上から見た図を示している。このとき、ＫＧサイズの記録媒体２００＿ＫＧが配置される部分の外側に穿たれた貫通穴２３Ｂ＿ｏｕｔは、マスク３１１，３２１によって塞がれており、非吸着領域２１１の周辺のいくつかの貫通穴２３Ｂ＿ｉｎも、サブマスク３２１，３２２によって塞がれている。この状態で、記録媒体２００＿ＫＧを吸着板２１に配置して、図２に示すシロッコファン２２１を駆動すると、貫通穴２３Ｂ＿ｏｕｔおよび貫通穴２３Ｂ＿ｉｎを介して空気を吸引するはずであった吸引力が、パート（Ａ）の矩形領域３３０に相応する貫通穴３２に集中されるため、記録媒体２００＿ＫＧの枠側を効率よく吸着することができる。
【００５０】
続いて、選択ダイヤル２１２をＫＧサイズからＥサイズに切り替える。
【００５１】
図６は、選択ダイヤルでＥサイズが選択されたときのマスク、サブマスク、および吸着板を示す図である。
【００５２】
選択ダイヤル２１２がＥサイズに切り替えられるのと連動して図４に示すピニオンギア４２０が回転し、２つのアーム４１０が互いに向かい合う方向に移動するによって、マスク３１１とサブマスク３１２が矢印Ａ方向、マスク３２１とサブマスク３２２が矢印Ｂ方向に移動される。このとき、マスク３１１，３２１によって取り囲まれる矩形領域３３０が小さくなる（Ｅサイズとほぼ同じサイズ）とともに、サブマスク３１２，３２２の間の距離が狭まって重なりが大きくなる。パート（Ｃ）に示すように、マスク３１１，３２１、およびサブマスク３２１，３２２がＥサイズにおける安定位置に配置されているときには、マスク３１１，３２１が塞ぐ貫通穴２３Ｂ＿ｏｕｔの数が図５のパート（Ｃ）よりも増え、その代わりに、サブマスク３１２，３２２は貫通穴３２を塞がない。このように、略Ｌ字を有する２つのマスク３１１，３２１と、マスク３１１，３２１それぞれに支持されたサブマスク３１２，３２２とを用いることによって、簡易な機構で矩形領域３３０の大きさを変えることができ、効率よく記録媒体を吸着することができる。
【００５３】
さらに、選択ダイヤル２１２をＫＧサイズから２Ｌサイズに切り替える。
【００５４】
図７は、選択ダイヤルで２Ｌサイズが選択されたときのマスク、サブマスク、および吸着板を示す図である。
【００５５】
パート（Ａ）およびパート（Ｂ）に示すように、選択ダイヤル２１２が２Ｌサイズに切り替えられると、図４に示すピニオンギア４２０が回転し、２つのアーム４１０によって、マスク３１１とサブマスク３１２が矢印Ａ方向、マスク３２１とサブマスク３２２が矢印Ａ方向とは逆の矢印Ｂ方向に移動される。このとき、マスク３１１，３２１によって取り囲まれる矩形領域３３０が大きくなる（２Ｌサイズとほぼ同じサイズ）とともに、サブマスク３１２，３２２の間の距離が開いて重なりがなくなる。パート（Ｃ）に示すように、マスク３１１，３２１、およびサブマスク３２１，３２２が２Ｌサイズにおける安定位置に配置されているときには、マスク３１１，３２１は貫通穴２３を塞がず、その代わりに、サブマスク３１２，３２２が塞ぐ貫通穴２３Ｂ＿ｉｎの数が図５のパート（Ｃ）よりも増えている。サブマスク３２１，３２２がない場合、図７に示す２Ｌサイズの記録媒体２００＿２Ｌを配置するときには貫通穴３２が塞がれず、シロッコファン２２１の吸引力が全ての貫通穴３２に分散されてしまって吸着力が落ちてしまうが、サブマスク３２１，３２２を設けることによって、大きなサイズの記録媒体を配置する場合であっても、吸引力の無駄な分散を抑えて、吸着力を保つことができる。
【００５６】
ここで、上記では、配置される記録媒体のサイズを手動で切り替えることによってマスクを移動させる例について説明したが、本発明にいう移動部は、自動検知された記録媒体のサイズに応じた安定位置にマスクを移動させるものであってもよい。
【００５７】
また、上記では、保持部と移動部とを兼ねた移動機構を備える例について説明したが、本発明の吸着装置および画像読取装置は、保持部と移動部とをそれぞれ別に備えるものであってもよい。
【００５８】
また、本発明にいう２つのマスクの形状は、それぞれが少なくとも１つの角を有した領域を残して貫通穴を塞ぐ形状であれば、移動部と接続される部分などの形状は問わない。
【００５９】
また、上記では、２つのマスクとほぼ同様の形状を有する２つのサブマスクを備える例について説明したが、本発明にいう２つのサブマスクは、非吸着領域の周辺の貫通孔を塞ぐものであれば、例えば、四角形などであってもよい。
【００６０】
また、上記では、ラックアンドピニオンで構成された移動部の例について説明したが、本発明にいう移動部は、例えば、ラックアンドピニオンとベルトとで構成されたものであってもよい。
【００６１】
また、上記では、吸引部としてシロッコファンを適用する例について説明したが、本発明にいう吸引部は、例えば、コンプレッサなどであってもよい。
【００６２】
また、本発明の吸着装置および画像形成装置は、媒体配置板の非吸着領域にセンサやマーキングなどを設けて、記録媒体が配置されたか否かを判定し、その判定結果に基づいて記録媒体を自動搬送するものであってもよい。また、記録媒体が配置されたか否かを判定する別の方法としては、吸引部としてファンを適用する場合に、ファンの回転数を検知して、回転数が上昇したときに記録媒体が配置されていると判定する方法や、吸引部としてコンプレッサを適用する場合に、コンプレッサの圧力が上昇したときに記録媒体が配置されていると判定する方法なども考えられる。
【００６３】
また、上記では、本発明の吸着装置の一実施形態を画像読取装置に適用する例について説明したが、本発明の吸着装置は、画像読取装置への適用に限らず、シート状の記録媒体を吸着させる装置を用いる分野一般で適用され得る。
【図面の簡単な説明】
【００６４】
【図１】本発明の一実施形態が適用された画像読取装置の外観構成図である。
【図２】吸着装置を正面からみたときの断面図である。
【図３】吸着装置を上からみた図である。
【図４】吸着装置の裏側からみたときの、マスク、サブマスク、および吸着板を示す図である。
【図５】選択ダイヤルでＫＧサイズが選択されたときのマスク、サブマスク、および吸着板を示す図である。
【図６】選択ダイヤルでＥサイズが選択されたときのマスク、サブマスク、および吸着板を示す図である。
【図７】選択ダイヤルで２Ｌサイズが選択されたときのマスク、サブマスク、および吸着板を示す図である。
【符号の説明】
【００６５】
１    画像読取装置
１０    未スキャン媒体収納箱
２０    吸着装置
２１    吸着板
２２    吸引部
２３    貫通孔
３０    表面読取装置
３１    レール
３２    表面撮像部
３３    蛍光灯
３４    フレア防止板
４０    裏面読取装置
４１    配置台
４２    裏面用撮像部
５０    スキャン済媒体収納箱
６０    搬送装置
６１    ガイドレール
６２    搬送部
６２    吸着パット
６２ｂ    保持棒
１０１    本体装置
１０２    モニタ
２００    記録媒体
２２２    箱
２２１    シロッコファン
２１１    非吸着領域
２１２    吸着領域
３００    ダクト
３１１，３１２    マスク
３１２，３２２    サブマスク
４００    移動機構
４１０    アーム
４２０    ピニオンギア
【図１】
2005241990.tif 000003
【図２】
2005241990.tif 000004
【図３】
2005241990.tif 000005
【図４】
2005241990.tif 000006
【図５】
2005241990.tif 000007
【図６】
2005241990.tif 000008
【図７】
2005241990.tif 000009